(57)【特許請求の範囲】
【請求項１】
美容用加湿器において、
ハウジングに着脱される貯水タンクから水を供給してもらって気化させる貯水供給部；
上記貯水供給部で気化した水を供給してもらって加熱する加湿空気発生器；
陰イオンを発生させて供給する陰イオン発生器；
上記加湿空気をハウジングの外部へ噴射供給する加湿空気噴射口；及び上記貯水供給部と加湿発生器と陰イオン発生器の動作を制御する制御部を含め、
上記加湿空気発生器は、下部の両側に給水孔を有する垂直隔壁を挟んで、予熱部と、ヒーターを有する加熱部とが胴体に分割形成される一方、上部には加湿空気を排出するための加湿空気供給口を形成し、上記予熱部の外面の下部には貯水供給部から供給された水を予熱部に貯水する給水口を形成する一方、上記給水孔を通して加熱部に貯水されていた水が移動され、上記加熱部の隔壁の中央には上部が段々狭くなる集中加熱部が、互いに対向する一対の集中加熱誘導壁の間に形成される一方、上記集中加熱誘導壁の間には加湿空気を微粒化する微粒化突起が水平に上下多数形成されることを特徴とする
美容用加湿器。
【請求項２】
上記加湿空気と陰イオンが混合部で混ぜられて、加湿空気噴射口を通して噴射供給されることを特徴とする、
請求項１の美容用加湿器。
【請求項３】
上記加湿空気発生器の加湿空気供給口には、その中央に結露吸水流路を有する結露吸水流路板が介在され、上記ヒーターによって加熱されたお湯が上記集中加熱部と微粒化突起を経由して上記加湿空気供給口から排出される際、上記結露吸水流路によって、微粒化された加湿空気中の水分の結露が除去されて排出されることを特徴とする、
請求項１の美容用加湿器。
【請求項４】
上記集中加熱誘導壁の両側上部に加熱部と予熱部が繋げられるオーバーフロー通路が形成されることを特徴とする、
請求項３の美容用加湿器。
【請求項５】
上記陰イオン発生器に紫外線ランプが含められることを特徴とする、
請求項１の美容用加湿器。
【請求項６】
上記陰イオン噴射口に近接している、上記ハウジングに爪のマニキュア、またはネイルアートの後の乾燥のための爪乾燥噴射口を含むことを特徴とする、
請求項１の美容用加湿器。
【請求項７】
上記陰イオン噴射口と上記爪乾燥噴射口は陰イオン発生器で発生する陰イオンが陰イオン発生器カバーを通して噴射供給されることを特徴とする、
請求項６の美容用加湿器。
【請求項８】
上記加湿空気噴射口に遠赤外線発生器を含むことを特徴とする、
請求項１の美容用加湿器。
【請求項９】
上記加湿空気に香が含まれて供給されることを特徴とする、
請求項１の美容用加湿器
【請求項１０】
上記ハウジングの一側壁にホースで繋がるハンディ噴射口が設けられ、混合部には上記ホースと繋がる噴射制御バルブが備えられて、上記加湿空気噴射口、又は上記ハンディ噴射口から陰イオンが含まれている加湿空気が選択供給されるようにして、上記ハンディ噴射口には遠赤外線発生器を設置して、使用者のお肌に遠赤外線を直接照射することを特徴とする、
請求項１の美容用加湿器。
【発明の詳細な説明】
【技術分野】
【０００１】
本発明は美容用加湿器に関するもので、特に加湿空気と陰イオンが供給されて、有害な物質が精化し、有害微生物は殺菌するので、皮膚細胞の新陳代謝を促進する一方、お肌の美容効果が向上する美容用加湿器に関するものである。
【背景技術】
【０００２】
一般的に美容加湿器は加湿空気をお肌に供給して、水分をお肌に均一に分布させることによって、お肌の新陳代謝を促進するもので、超音波や加熱によって水が気化して送風され、またその送風過程で加熱するので、適切な温度の加湿空気を供給することができる。
【発明の概要】
【発明が解決しようとする課題】
【０００３】
従来の美容用加湿器は水分が気化して供給される単純な機能だけで、場合によっては供給する加湿空気の中には有害物質や有害微生物が含まれていることもあって、皮膚美容の効果が悪くなる問題があった。
【０００４】
本発明は上記のようなことを改善するために作られるもので、その目的は加湿空気と陰イオンが供給されるようにして、有害物質は精化し、有害微生物は殺菌することができるので、皮膚細胞の新陳代謝が促進される一方、お肌の美容効果が向上される美容加湿器を提供するのである。
【課題を解決するための手段】
【０００５】
上述の目的を達するための美容用加湿器は、ハウジング（１１）に着脱される貯水タンク（４０）の水を供給してもらい、それを気化する貯水供給部（４１）；上記貯水供給部（４１）で気化された水を供給してもらって加熱する加湿空気発生器（５０）；陰イオンを発生して供給する陰イオン発生器（７０）；上記加湿空気をハウジング（１１）の外部へ噴射供給する加湿空気噴射口（１２）；及び上記貯水供給部（４１）と加湿空気発生器（５０）と陰イオン発生器（７０）の動作を制御する制御部（３０）を含むことを特徴とする。
【０００６】
上述する構成において、加湿空気には陰イオンを混ぜて、加湿空気噴射口（１２）を通して噴射供給することを特徴とする。
【０００７】
また、上記加湿空気発生器（５０）は、下部の両側に給水孔（５４）を有する垂直隔壁（５１ｄ）を挟んで、予熱部（５３）と、ヒーターを有する加熱部（５５）とを胴体（５１）に分割形成する一方、上部には加湿空気を排出するための加湿空気供給口（５６）を形成し、上記予熱部（５３）の外面の下部には貯水供給部（４１）から供給された水を予熱部（５３）に貯水する給水口（５２）を形成する一方、上記給水孔（５４）を通して加熱部（５５）へ貯水されていた水が移動され、上記加熱部（５５）の隔壁（５１ｄ）の中央には上部になるほど狭くなる集中加熱部（５１ａ）が、互いに対向する一対の集中加熱誘導壁（５１ｂ）の間に形成される一方、上記集中加熱誘導壁（５１ｂ）の間には加湿空気を微粒化する微粒化突起（５１ｃ）が水平に上下多数形成され、上記加湿空気供給口（５６）には、その中央に結露吸水流路（５８ａ）を有する結露吸水流路板（５８）が介在され、上記ヒーター（５７）によって加熱されたお湯が上記集中加熱部（５１ａ）と微粒化突起（５１ｃ）を経由して上記加湿空気供給口（５６）から排出される際、上記結露吸水流路（５８ａ）によって加湿空気中の水分の結露が除去されて排出されることを特徴とする。
【０００８】
また、集中加熱誘導壁（５１ｂ）の上部の両側にオーバーフロー通路（５１ｅ）がさらに形成されることを特徴とする。
【０００９】
また、陰イオン発生器（７０）に紫外線ランプ（７３）をさらに形成することを特徴とする。
【００１０】
また、加湿空気噴射口（１２）に遠赤外線発生器（７３）をさらに形成することと、加湿空気に香を混ぜて供給することを特徴とする。
【００１１】
また、陰イオン噴射口（１３）に近接している上記ハウジング（１１）に、爪のマニキュアを乾燥するための爪乾燥噴射口（１４）をさらに形成することを特徴とする。
【００１２】
また、陰イオン噴射口（１３）に近接している上記ハウジング（１１）に、爪のマニキュアを乾燥するための紫外線ランプ（９１）をさらに形成することを特徴とする。
【００１３】
また、ハウジング（１１）の一側壁にホース（９４）で繋がるハンディ噴射口（９３）が設けられ、混合部（６２）には上記ホース（９４）と繋がる噴射制御バルブ（９５）が備えられて、上記加湿空気噴射口（１２）、又は上記ハンディ噴射口（９３）から陰イオンが含まれている加湿空気が選択供給されるようにし、上記ハンディ噴射口（９３）には遠赤外線発生器を設置して、使用者のお肌に遠赤外線を直接照射することを特徴とする。
【発明の効果】
【００１４】
本発明は加湿空気に陰イオンが含まれて供給するようにして、有害物質は精化し、有害微生物は殺菌するので、皮膚細胞の新陳代謝を促進する一方、お肌の美容効果が向上する効果がある。
【図面の簡単な説明】
【００１５】
【図１】本発明の正面斜視図
【図２】本発明の背面斜視図
【図３】本発明の正面図
【図４】本発明の底面図
【図５】本発明の内部構造を示す断面図
【図６】本発明の分解斜視図
【図７】本発明の主要部の結合斜視図
【図８】本発明の主要部の結合斜視図
【図９】本発明の主要部の結合斜視図
【図１０】本発明の加湿空気発生器の斜視図
【図１１】本発明の加湿空気発生器の分解斜視図
【図１２】本発明の加湿空気発生器の断面図
【図１３】本発明の香発生器の分解斜視図
【図１４】本発明の香発生器の断面図
【図１５】本発明の内部構造を概略的に示す断面図
【図１６】本発明による陰イオン発生器カバーの斜視図
【図１７】本発明の主要部断面図
【図１８】本発明の制御部の構成図
【図１９】本発明の動作フロー
【図２０】本発明の他実施例の斜視図
【図２１】図２０の正面図
【図２２】本発明のまた他の実施例の正面図
【図２３】本発明のまた他の実施例の正面図
【図２４】本発明のまた他の実施例の動作フロー
【発明を実施するための形態】
【００１６】
本発明の美容用加湿器は、加湿空気が加湿空気噴射口を通して供給されたり、加湿空気に陰イオンが含まれて加湿空気噴射口から供給されるようにして、陰イオンによって有害物質は精化し、有害微生物は殺菌して供給するので、皮膚細胞の新陳代謝が促進される一方、お肌の美容効果が向上するものである。以下図面をもって詳しく説明する。
【００１７】
図１及び図２で美容用加湿器を図示してるが、その美容用加湿器の本体（１０）はハウジング（１１）の前面に加湿空気噴射口（１２）と陰イオン噴射口（１３）と爪乾燥噴射口（１４）と香発生器（８０）と遠赤外線発生器と紫外線発生器が設けられ、ハウジング（１１）の後面の内部には貯水タンク（４０）が結合分離され、ハウジング（１１）の内部には制御部（３０）と加湿空気発生器（５０）と送風機（６０）と陰イオン発生器（７０）が設けられる。上記の爪乾燥噴射口（１４）は図３及び図４で図示するように、ハウジング（１１）の陰イオン発生器（１３）下部に位置する香発生器（８０）の左右に対称して形成される。
【００１８】
上記ハウジング（１１）は図６で示すように、後面の下部に給気口カバー（１８）を有する給気口（１７）が形成され、後面上部のハンドル（１６）と結合する。
【００１９】
上記ハウジング（１１）は下部の支持部（１５）が基台（１９）に結合される時、角度調節部（２５）を挟持し結合して角度を調整する。
【００２０】
上記角度調整部（２５）は、図５及び図６で示すように、固定板（２６）の下部両側にヒンジ凸部（２７）が水平に突出形成され、両ヒンジ凸部（２７）が各々のヒンジ収容部（２８）にヒンジ結合され、上記固定板（２６）は基台（１９）の中央にある固定板突出孔（２０）を通過して位置する一方、ハウジング（１１）の下部にある支持部（１５）が上記固定板（２６）を挟持固定し、上記ヒンジ収容部（２８）は上記基台（１９）の下部板に固定される。
【００２１】
従って上記ハウジング（１１）は上記角度調整部（２５）によって前屈や後屈させ、加湿空気噴射口（１２）と陰イオン噴射口（１３）と爪乾燥噴射口（１４）の角度を調整するようになる。
【００２２】
上記ハウジング（１１）の上部には電源、タイマー、加湿空気、送風機、陰イオン、遠赤外線、紫外線を動作させる操作部（２１）が設けられ、基台（１９）にはハウジング（１１）の勾配を感知する安全装置が備えられ、上記加湿空気発生器（５０）は温度センサーと電気的連結される。
【００２３】
上記貯水タンク（４０）は上記ハウジング（１１）内部の貯水タンク収納部（２３）に納められ、図４で示すように下部に貯水供給部（４１）が結合され、貯水供給部（４１）は図１０で示すように、加湿空気発生器（５０）の給水口（５２）と連結される。上記貯水タンク（４０）には、精製水や水道水が貯水されるが、精製水が望ましく、また上記貯水タンク（４０）に貯水してある水は、上記貯水供給部（４１）を介して上記加湿空気発生器（５０）まで供給される。
【００２４】
上記加湿空気発生器（５０）は図１０〜図１２で示すように、加湿空気発生器（５０）は胴体（５１）とヒーター（５７）とで構成され、胴体（５１）は予熱部（５３）と加熱部（５５）が隔壁（５１ｄ）の両側に分割形成され、胴体（５１）の上部には加湿空気供給口（５６）を備える。
【００２５】
そして、上記加熱部（５５）の一側に上記ヒーター（５７）が結合され、上記隔壁（５１ｄ）の両側には給水孔（５４）が形成され、上部にはオーバーフロー通路（５１ｅ）が形成される。
【００２６】
上記予熱部（５３）は貯水供給部（４１）から供給された水が貯水され、外側面の下部に貯水供給部（４１）と配管する給水口（５２）が設けられ、上記予熱部（５３）に貯水される水は、上記給水孔（５４）を介して加熱部（５５）へ移動することになる。
【００２７】
上記加熱部（５５）の隔壁（５１ｄ）の中央には、上部になるほど狭くなる集中加熱部（５１ａ）が形成され、上記集中加熱部（５１ａ）は対向する一対の集中加熱誘導壁（５１ｂ）の間に形成され、上記集中加熱誘導壁（５１ｂ）の間には加湿空気を微粒化する微粒化突起（５１ｃ）が水平に上下多数形成される。
【００２８】
上述する内容中、隔壁（５１ｄ）の上部にはオーバーフロー通路（５１ｅ）が集中加熱誘導壁（５１ｂ）の両側に形成されて加熱部（５５）と予熱部（５３）と繋がれ、ヒーター（５７）によって加熱部（５５）で水を加熱する際、過熱したら、予熱部（５３）の方へ沸きこぼれる。
【００２９】
上記加湿空気供給口（５６）の中央部に結露吸水流路（５８ａ）を有する結露吸水流路板（５８）が結合される。
【００３０】
したがって、上記ヒーター（５７）で加熱されたお湯が上記集中加熱部（５１ａ）で集中的に加熱され、微粒化突起（５１ｃ）を軽油して微粒化され、加湿空気供給口（５６）を介して排出される時、上記結露吸水流路（５８ａ）によって加湿空気の中に含まれている水分の結露が除去されて排出される。
【００３１】
そして過熱によるオーバーフローは、オーバーフロー通路（５１ｅ）を通して予熱部（５３）まで移動する。
【００３２】
より詳しくは、加湿空気発生器（５０）は本体（５１）の一側にヒーター（５７）が結合され、胴体（５１）は予熱部（５３）と加熱部（５５）に分割形成され、給水口（５２）を通して貯水供給部（４１）から供給された水が予熱部（５３）に貯水され、予熱部（５５）に貯水された水は二つの給水孔（５４）を通して加熱部（５５）まで移動することになる。そして集中加熱部（５１ａ）でヒーター（５７）によって集中加熱される一方、微粒化突起（５１ｃ）で微粒化されて加湿空気供給口（５６）から排出される。
【００３３】
上記加熱部（５５）はその中央に、上部が段々狭くなる流路を有する集中加熱部（５１ａ）が形成され、上記集中加熱部（５１ａ）には加湿空気を微粒化するための二つ以上の微粒化突起（５１ｃ）が形成され、上側加湿空気供給口（５６）の入口側には、加湿空気の直接排出を制限し、加湿空気の中に含まれている水分を結露除去するための結露吸水流路（５８ａ）を有する結露吸水誘導板（６８）が介在して結合される。
【００３４】
上記加湿空気供給口（５６）は図７〜図９で示すように、送風カバー（６１）に結合されて内部へ流入される。
【００３５】
上記送風機（６０）は図６で示すように、送風機カバー（６１）の内部に位置することになり、送風機カバー（６１）の前面には混合部（６２）が結合され、混合部（６２）は図８で示すように供給管（７２）をもって陰イオン発生器カバー（７１）と繋げられる。
【００３６】
従って送風機カバー（６１）内へ流入される加湿空気は混合部（６２）を通して加湿空気噴射口（１２）で噴射供給することにしたり、陰イオン発生器（７０）で発生された陰イオンが上記混合部（６２）で上記加湿空気と混合されるようにして、加湿空気噴射口（１２）で噴射供給することになる。
【００３７】
上記陰イオン発生器（７０）は陰イオン発生器カバー（７１）の内部に位置して陰イオンを発生することになり、陰イオン発生器カバー（７１）の上部には紫外線ランプ（７３）が設けられ、紫外線ランプ（７３）は陰イオン噴射口（１３）を通して照射することになる。
【００３８】
上記陰イオン発生器（７０）で発生された陰イオンはハウジング（１１）の陰イオン噴射口（１３）を介して供給されたり、または上記混合部（６２）に供給されて、上記陰イオン発生器カバー（７１）は図８〜図９で示すように送風機（６０）の前面に位置することになる。
【００３９】
上記香発生器（８０）は加湿空気に香（例えばアロマ香）が含まれるようにするもので、図１３及び図１４で示すように、容器（８１）とキャップ（８２）の間に香発生用液が貯蔵され、弁（８４）を有するトレイ（８３）がキャップ（８２）の外部面に結合され、上記ハウジング（１１）の前面の下部にある香発生器収納部（２４）に納められる。
【００４０】
上記構成において、陰イオン発生器カバー（７１ａ）は下部の両側に、図１６で示すように爪乾燥噴射口（１４）の内部を覆うことになり、上記陰イオン発生器（７０）から発生した陰イオンが上記爪乾燥噴射口（１４）から噴射供給されるようになる。
【００４１】
上記構成において、爪乾燥噴射口（１４）には、図１７で示すように、紫外線ランプ（９１）が設けられ、上記紫外線発生器は上記紫外線ランプ（９１）が上記爪乾燥噴射口（１４）に設けられて構成される。
【００４２】
上記構成において、遠赤外線発生器は加湿空気に遠赤外線を照射するもので、遠赤外線を照射するＬＥＤランプ（９０）が、上記加湿空気噴射口（１２）の周辺に設けられる。
【００４３】
図２０及び図２１では、本発明よる他実施例の美容用加湿器を図示していて、上記美容用加湿器本体（１０ａ）はハウジング（１１）が基台（１９）にワイングラスの形に配置され、上記本体（１０）と角度調整部（２５）を除いては同一構成になる。
【００４４】
図２２及び図２３では、本発明によるまた他の実施例の美容用加湿器が図示されていて、上記美容用加湿器本体（１０ｂ）（１０ｃ）は送風機（６０）の混合部（６２）とホース（９４）で繋げられるハンディ噴射口（９３）がハウジング（１１）の一側壁に設置される掛部（９６）に結合及び分離されるようになり、図２４で示すように混合部（６２）に噴射制御弁（９５）をまた設け、上記ホース（９４）が噴射制御弁（９５）に連結され、加湿空気噴射口（１２）、または上記ハンディ噴射口（９３）への供給が選択的に制御できるように構成される。
【００４５】
また、上記ハンディ噴射口（９３）には遠赤外線を照射するＬＥＤランプ（９０）が設けられ、皮膚加湿の過程において、使用者のお肌に直接遠赤外線を照射するように構成される。
【００４６】
以上のような本発明は、図１５及び図１９で示すように、貯水タンク（４０）に貯水された水は貯水供給部（４１）を通して気化され、加湿空気発生器（５０）まで供給するように構成し、加湿空気発生器（５０）で加湿空気は加湿空気噴射口（１２）を通して供給したり、陰イオン発生器（７０）で発生した陰イオンと混合部（６２）で混合するようにして、加湿空気噴射口（１２）を通して供給するように構成される。
【００４７】
上記説明において、陰イオン発生器（７０）で発生された陰イオンは、加湿空気噴射口（１２）に近接している陰イオン噴射口（１３）を通して供給するように構成し、爪乾燥噴射口（１４）からも供給するように構成される。
【００４８】
上記説明において、加湿空気噴射口（１２）には遠赤外線を照射するＬＥＤランプ（９０）が、上記陰イオン噴射口（１３）には紫外線を照射する紫外線ランプ（７３）が、上記爪乾燥噴射口（１４）には紫外線を照射する紫外線ランプ（９１）が各々設置され、加湿空気噴射口（１２）を通して供給される加湿空気中の陰イオン及び／または遠い赤外線が含まれるようになり、陰イオン噴射口（１３）を通して供給される陰イオンには紫外線が含まれるようにし、爪乾燥噴射口（１４）を通して供給する陰イオンには紫外線が含まれるようにするものである。
【００４９】
また、加湿空気の中には香発生器（８０）から発生された香が含まれるように構成する。
【００５０】
上記動作は図１８で示すような制御部（３０）によって動作され、勾配センサーを有する安全装置と、温度センサーを有する加湿空気発生器（５０）と、送風機（６０）、陰イオン発生器（７０）、遠赤外線発生器及び紫外線発生器を上記制御部（３０）で制御するようになり、表示パネルに電源、陰イオン、遠赤外線、時間などが表示される。
【００５１】
もっと詳しく説明したら、本発明は  ａ）貯水タンク（４０）−貯水供給部（４１）−加湿空気発生器（５０）で発生された加湿空気を加湿空気噴射口（１２）を通して噴射供給したり、  ｂ）貯水タンク（４０）−貯水供給部（４１）−加湿空気発生器（５０）で発生する加湿空気に陰イオン発生器（７０）で発生された陰イオンが混ぜられ、加湿空気噴射口（１２）を通して噴射供給するように構成し、  ｃ）上記  ａ）の加湿空気に遠赤外線も含めたり、  ｄ）上記  ｂ）の陰イオンが含まれた加湿空気に遠赤外線が含まれるようにするものである。
【００５２】
ｅ）そして上記加湿空気（又は加湿空気＋陰イオン、又は加湿空気＋遠赤外線、又は加湿空気＋陰イオン＋遠赤外線）はハウジング（１０ｂ）（１０ｃ）の一側の掛部（９６）に結合分離されるハンディ噴射口（９３）を通して供給されるのである。
【００５３】
ｆ）また、陰イオン発生器（７１）で発生した陰イオンは、陰イオン噴射口（１３）を通して供給したり、爪乾燥噴射口（１４）を通して供給し、陰イオン噴射口（１３）を通して供給される陰イオンに紫外線が含まれるようにしたり、爪乾燥噴射口（１４）を通して供給する陰イオンに紫外線が含まれるようにするのである。
【００５４】
上記説明において、加湿空気（又は加湿空気＋陰イオン、または加湿空気＋遠赤外線、または加湿空気＋陰イオン＋遠赤外線）を供給する際、香発生器（８０）を通して香が含まれるように構成し、陰イオン噴射口（１３）、爪乾燥噴射口（１４）を通して陰イオン（または陰イオン＋紫外線）を供給する際、香発生器（８０）を通して香が含まれるようにする構成である。
【産業上の利用可能性】
【００５５】
本発明は加湿空気に陰イオンが混合されて供給されるように構成して、有害物質は精化され、有害微生物は殺菌されるようにするので、お肌の美容において皮膚美容効果を向上するものである。
【図１】
0005383953.tif 000002
【図２】
0005383953.tif 000003
【図３】
0005383953.tif 000004
【図４】
0005383953.tif 000005
【図５】
0005383953.tif 000006
【図６】
0005383953.tif 000007
【図７】
0005383953.tif 000008
【図８】
0005383953.tif 000009
【図９】
0005383953.tif 000010
【図１０】
0005383953.tif 000011
【図１１】
0005383953.tif 000012
【図１２】
0005383953.tif 000013
【図１３】
0005383953.tif 000014
【図１４】
0005383953.tif 000015
【図１５】
0005383953.tif 000016
【図１６】
0005383953.tif 000017
【図１７】
0005383953.tif 000018
【図１８】
0005383953.tif 000019
【図１９】
0005383953.tif 000020
【図２０】
0005383953.tif 000021
【図２１】
0005383953.tif 000022
【図２２】
0005383953.tif 000023
【図２３】
0005383953.tif 000024
【図２４】
0005383953.tif 000025